(57)【要約】【課題】本発明は、画面アスペクト比の異なる番組を表示するときに用いられるサイドパネルやレターボックスの焼き付きを防ぐと同時に、視聴者に与える違和感を低減することを目的とする。【概要】画像アスペクト比の異なる番組を表示するときに用いられるサイドパネルやレターボックスの焼き付きを防ぐために、チャンネルを変更したとき、表示する画像の周辺部が暗く、その境界部がわかりにくとき、画面内容の変化が大きいときに、サイドパネル方式やレターボックス方式における画像の表示位置をずらすことで、視聴者に与える違和感を軽減する。【選択図】                図１
2004328520.tif 000002
【特許請求の範囲】
【請求項１】
画像のアスペクト比を判別するアスペクト判別部と、該アスペクト判別部によって判別されたアスペクト比に応じて画面上の画像の表示位置を決定する画像表示処理部を有し、表示画像の変化に応じて画像表示位置を移動させることを特徴とする画像表示処理装置。
【請求項２】
画像のアスペクト比を判別するアスペクト判別部と、該アスペクト判別部によって判別されたアスペクト比に応じて画面上の画像の表示位置を決定する画像表示処理部を有し、視聴する番組を変更したときに画像表示位置を移動させることを特徴とする画像表示処理装置。
【請求項３】
テレビ放送受信部を有し、視聴するチャンネルを変更することによって視聴する番組を変更し、その際画像表示位置を移動させることを特徴とする請求項２に記載の画像表示装置。
【請求項４】
画像のアスペクト比を判別するアスペクト判別部と、該アスペクト判別部によって判別されたアスペクト比に応じて画面上の画像の表示位置を決定する画像表示処理部と、表示画像の輝度レベルを検出する輝度検出回路を有し、該輝度検出回路では、表示画像の周縁部分における輝度を検出し、該輝度が所定値よりも低い場合に画像表示位置を移動させることを特徴とする画像表示処理装置。
【請求項５】
画像のアスペクト比を判別するアスペクト判別部と、該アスペクト判別部によって判別されたアスペクト比に応じて画面上の画像の表示位置を決定する画像表示処理部と、表示画像の変化を検出する差分検出回路を有し、該差分検出回路では、表示画像の前フレームと現フレームの差分を計算し、該差分が所定値よりも大きい場合に画像表示位置を移動させることを特徴とする画像表示処理装置。
【請求項６】
上記アスペクト判別部は、４：３の画像と１６：９の画像を判別することを特徴とする請求項１乃至５に記載の画像表示処理装置。
【発明の詳細な説明】
【０００１】
【産業上の利用分野】
本発明は、画面アスペクト比の異なる番組を表示するときに用いられる「サイドパネル」や「レターボックス」の焼付けを低減できる事ができる機能を持つテレビに関する。
【０００２】
【従来の技術】
デジタルテレビ放送の開始により、ハイビジョンなどの９：１６のアスペクト比のテレビ放送や番組と、標準の４：３のアスペクト比のテレビ放送や番組が混在することが増えている。
【０００３】
特開平７−４６５１０号公報において以下の技術が開示されている。
【０００４】
９：１６のアスペクト比を有するハイビジョン映像信号に基づいて画像再生動作が行われる状態と３：４のアスペクト比を有するＮＴＳＣ映像信号に基づいての画像再生動作が行われる状態とが選択的にとられる画像再生装置にあっては、例えば、ハイビジョン映像信号に対する映像信号処理回路部とＮＴＳＣ映像信号に対する映像信号処理回路部とが、共通の画像表示部に選択的に接続され、ハイビジョン映像信号基づく画像再生用映像信号、若しくはＮＴＳＣ映像信号に基づく画像再生用映像信号が画像表示分に供給される。また、それに伴って、画像表示分に付設された偏向コイル部に垂直偏向信号及び水平偏向信号が供給されるが、その際には、例えば、画像表示部にハイビジョン映像信号に基づく画像再生用映像信号が供給される場合には、偏向コイル部に、ハイビジョン映像信号が有するフィールド周波数６０Ｈｚ及びライン周波数３３．７５ｋＨｚに対応して、周波数を６０Ｈｚとする垂直偏向信号と周波数３３．７５ｋＨｚとする水平偏向信号とが供給され、また、画像表示部にＮＴＳＣ映像信号に基づく画像再生用映像信号が供給される場合には、偏向コイル部に、ＮＴＳＣ映像信号が有するフィールド周波数６０Ｈｚ及びライン周波数１５．７５ｋＨｚに対応して、周波数６０Ｈｚとする垂直偏向信号と周波数を１５．７５ｋＨｚとする水平偏向信号とが供給されることになる。
【０００５】
この場合、アスペクト比を９：１６とする画面を形成する再生画像が得られるハイビジョン映像信号に基づく画像再生用映像信号と、アスペクト比を３：４とする画面を形成する再生画像が得られるＮＴＳＣ映像信号に基づく画像再生用映像信号とが、共通の画像表示部に選択的に供給され、その画像表示部上に、ハイビジョン映像信号に基づく画像再生用映像信号に応じた再生画像が得られる状態、もしくは、ＮＴＳＣ映像信号に基づく画像再生用映像信号に応じた再生画像が得られる状態とがとられることになるが、それらのうちのいずれかにおいては、画像表示部に、画像表示が行われない部分が形成されることになってしまう。
【０００６】
このように、画像表示部による再生画像表示が行われるにあたり、画像表示部に画像表示が行われない部分が形成される状態がとられるもとでは、その状態の積算時間が比較的大くなると、画像表示部における画像表示が行われない部分（第１の領域部分）と画像表示が行われる部分（第２の領域部分）との間における発光特性において、第一の領域部分に比べて第２の領域部分の発光能力の低下の度合いが大きくなり、発光能力に差が生じる。そして、このように発光特性上の差が生じたもとで、画像表示部の全面に亙って画面表示が行われると、第１の領域部分と第２の領域部分との間に、第１の領域部分における輝度に比べて第２の領域部分における輝度が低下したものとなる輝度差が生じ、それに起因して、第１の領域部分と第２の領域部分との間の境界部に、筋上の跡、いわゆる焼き付きが目立つことになる。
【０００７】
この焼きつきの度合いを、効果的に軽減する技術として、画像表示部における再生画像が形成する画面の水平方向もしくは垂直方向の端縁部の位置を、所定の長周期をもって比較的小さな移動範囲内において往復運動させるという技術が開示されている。すなわち、画面アスペクト比の異なる番組を表示するときに用いられるサイドパネルやレターボックスの焼き付きを低減する方法として、偏向回路を微小移動させることによりサイドパネルやレターボックスを移動させる。
【０００８】
【特許文献１】
特開平７−４６５１０号公報
【０００９】
【発明が解決しようとする課題】
近年、ブラウン管の代替品として液晶パネルやプラズマ・ディスプレイ・パネル、有機ＥＬパネルなどが使用されつつある。上記の従来技術により焼き付きの低減を行う場合、液晶パネル、プラズマ・ディスプレイ・パネル、及び有機ＥＬパネルでは、サイドパネルやレターボックスを１画素単位で移動させなければならない。従って、この移動は、視聴者に違和感を与える。本願発明は、この違和感を軽減することを目的とする。
【００１０】
【課題を解決するための手段】
本願発明は、上記問題に鑑みなされたものであり、画像のアスペクト比を判別するアスペクト判別部と、該アスペクト判別部によって判別されたアスペクト比に応じて画面上の画像の表示位置を決定する画像表示処理部を有し、表示画像の変化に応じて画像表示位置を移動させることを特徴とする画像表示処理装置である。
【００１１】
また、本願発明は、画像のアスペクト比を判別するアスペクト判別部と、該アスペクト判別部によって判別されたアスペクト比に応じて画面上の画像の表示位置を決定する画像表示処理部を有し、視聴する番組を変更したときに画像表示位置を移動させることを特徴とする画像表示処理装置でもある。
【００１２】
さらには、テレビ放送受信部を有し、視聴するチャンネルを変更することによって視聴する番組を変更し、その際画像表示位置を移動させることもできる。
【００１３】
また、画像のアスペクト比を判別するアスペクト判別部と、該アスペクト判別部によって判別されたアスペクト比に応じて画面上の画像の表示位置を決定する画像表示処理部と、表示画像の輝度レベルを検出する輝度検出回路を有し、該輝度検出回路では、表示画像の周縁部分における輝度を検出し、該輝度が所定値よりも低い場合に画像表示位置を移動させることを特徴とする画像表示処理装置でもある。
【００１４】
また、画像のアスペクト比を判別するアスペクト判別部と、該アスペクト判別部によって判別されたアスペクト比に応じて画面上の画像の表示位置を決定する画像表示処理部と、表示画像の変化を検出する差分検出回路を有し、該差分検出回路では、表示画像の前フレームと現フレームの差分を計算し、該差分が所定値よりも大きい場合に画像表示位置を移動させることを特徴とする画像表示処理装置でもある。
【００１５】
ここで、上記アスペクト判別部は、４：３の画像と１６：９の画像を判別することができる。
【００１６】
【発明の実施の形態】
以下、本発明の実施例を、図面に沿って具体的に説明する。
【００１７】
本願発明の画像表示装置付きテレビの第一実施例における概略構成を示すブロック図を図１に示す。
【００１８】
デジタルＴＵＮＥＲ（１０１）に放送電波が入力され、デジタルＴＵＢＥＲからトランスポート・ストリーム（以下、ＴＳ）がＡＶ＿ＤＥＣＯＤＥＲ（１０２）に出力される。ＴＳを受けたＡＶ＿ＤＥＣＯＤＥＲ（１０２）はデジタル映像信号をＮＴＳＣエンコーダ（１０３）に出力する。デジタル映像信号を受けたＮＴＳＣエンコーダ（１０３）は映像を出力しテレビに映し出す。そのテレビの画面上にレターボックスが表示されており、リモートコントロール（以下リモコン）からチャンネル変更の命令信号がＳＵＢ＿ＣＰＵ（１０４）に出力された場合、ＳＵＢ＿ＣＰＵ（１０４）からＣＰＵ（１０５）にチャンネル変更の命令信号が出力される。ＣＰＵ（１０５）がその新たに入力されたチャンネルの情報を読み取り、その番組も前番組同様レターボックスを表示する必要があるかを判断する。もし表示する必要がない場合やレターボックスではなくサイドパネルを必要とする場合は通常通りＡＶ＿ＤＥＣＯＤＥＲ（１０２）に命令信号を送り、指定された番組を表示する。しかし、レターボックスを前番組同様必要と認識すると、ＣＰＵ（１０５）からＡＶ＿ＤＥＣＯＤＥＲ（１０２）にＯＮ  ＳＣＲＥＥＮＤＩＳＰＬＡＹ（以下ＯＳＤ）のレターボックスの位置を前番組に表示していた位置に比べ少し移動させるように命令信号を出力する。これを受けたＡＶ＿ＤＥＣＯＤＥＲ（１０２）は前番組の時に表示してたレターボックスの位置を少しずらした状態のデジタル映像信号をＮＴＳＣエンコーダ（１０３）に出力し、それを受けたＮＴＳＣエンコーダ（１０３）は映像を出力しテレビに映し出す。
【００１９】
さらに、同実施例における動作を図２のフローチャートを用いて説明する。テレビ視聴中において（ステップ２０１）、リモコン若しくはテレビ本体の操作ボタンによりチャンネル変更が行われた場合（ステップ２０２のＹＥＳ分岐）、現在の表示がフル画面表示であるならば（ステップ２０３のＹＥＳ分岐）、新チャンネルに切り替えて新チャンネルを表示する（ステップ２０９）。
【００２０】
一方、現在の表示がフル画面表示でない場合（ステップ２０３のＮＯ分岐）、新チャンネルと旧チャンネルのアスペクト比が異なると（ステップ２０４のＮＯ分岐）、表示位置をデフォルトの位置に移動させ（ステップ２０８）、新チャンネルを表示する。ここで、デフォルトの位置とは、一般には、画像の中央位置が表示部の中央に配置される位置を意味している。
【００２１】
次に、現チャンネルと新チャンネルのアスペクト比が同じ場合（ステップ２０４のＹＥＳ分岐）、レターボックス表示を行っていると（ステップ２０５のレターボックス分岐）、図４のフローチャートに従って表示位置を１画素上下方向に移動させて（ステップ２０６）、新チャンネルを表示する（ステップ２０９）。また、サイドパネル表示を行っていると（ステップ２０５のサイドパネル分岐）、図３のフローチャートに従って表示位置を１画素左右方向に移動させて（ステップ２０７）、新チャンネルを表示する（ステップ２０９）。
【００２２】
上記のように、サイドパネル表示の場合は、図３のフローチャートに示すように表示位置を移動させる。ここでは、画像の水平表示位置を示すパラメータをＩＨＰ、画像の移動方向を示すパラメータをＩＨＤとしている。また、移動範囲は左右ｎ画素の範囲としている。ここで、ｎは例えば５とすることができるが、これに限定されるものではない。
【００２３】
まず、表示位置が移動範囲の右端に達していないことを意味している、ＩＨＰがｎより小さい場合（ステップ３０１のＹＥＳ分岐）で、さらに表示位置が右方向に移動中であることを意味している、ＩＨＤが１である場合（ステップ３０２のＹＥＳ分岐）では、ＩＨＰを一つカウントアップし（ステップ３０３）、画像表示位置を１画素右に移動させる（ステップ３０４）。
【００２４】
このように、表示位置を順次右に移動していくと、やがてＩＨＰがｎに達し、表示位置が移動範囲の右端に達する。この場合、ＩＨＰはｎ以上となっており（ステップ３０１のＮＯ分岐）、ＩＨＤを０に設定して移動方向を左側に変更する（ステップ３０５）。ＩＨＤが０であるので（ステップ３０２のＮＯ分岐）、表示位置が移動範囲の左端に達していないことを意味している、ＩＨＰがーｎより大きければ（ステップ３０６のＹＥＳ分岐）、ＩＨＰを一つカウントダウンし（ステップ３０７）、画像表示位置を１画素左に移動させる（ステップ３０８）。
【００２５】
このように、表示位置を順次左に移動していくと、やがてＩＨＰがーｎに達し、表示位置が移動範囲の左端に達する。この場合、ＩＨＰはーｎ以下となっており（ステップ３０６のＮＯ分岐）、ＩＨＤを１に設定して移動方向を右側に変更し（ステップ３０９）、ＩＨＰを一つカウントアップし（ステップ３０３）、画像表示位置を１画素右に移動させる（ステップ３０４）。
【００２６】
さらに上記のように、レターボックス表示の場合は、図４のフローチャートに示すように表示位置を移動させる。ここでは、画像の垂直方向表示位置を示すパラメータをＩＶＰ、画像の移動方向を示すパラメータをＩＶＤとしている。また、移動範囲は上下ｎ画素の範囲としている。ここで、ｎは例えば５とすることができるが、これに限定されるものではない。
【００２７】
まず、表示位置が移動範囲の上端に達していないことを意味している、ＩＶＰがｎより小さい場合（ステップ４０１のＹＥＳ分岐）で、さらに表示位置が上方向に移動中であることを意味している、ＩＶＤが１である場合（ステップ４０２のＹＥＳ分岐）では、ＩＶＰを一つカウントアップし（ステップ４０３）、画像表示位置を１画素上に移動させる（ステップ４０４）。
【００２８】
このように、表示位置を順次右に移動していくと、やがてＩＶＰがｎに達し、表示位置が移動範囲の上端に達する。この場合、ＩＶＰはｎ以上となっており（ステップ４０１のＮＯ分岐）、ＩＶＤを０に設定して移動方向を下側に変更する（ステップ４０５）。ＩＶＤが０であるので（ステップ４０２のＮＯ分岐）、表示位置が移動範囲の下端に達していないことを意味している、ＩＶＰがーｎより大きければ（ステップ４０６のＹＥＳ分岐）、ＩＶＰを一つカウントダウンし（ステップ４０７）、画像表示位置を１画素下に移動させる（ステップ４０８）。
【００２９】
このように、表示位置を順次下に移動していくと、やがてＩＶＰがーｎに達し、表示位置が移動範囲の下端に達する。この場合、ＩＶＰはーｎ以下となっており（ステップ４０６のＮＯ分岐）、ＩＶＤを１に設定して移動方向を上側に変更し（ステップ４０９）、ＩＶＰを一つカウントアップし（ステップ４０３）、画像表示位置を１画素上に移動させる（ステップ４０４）。
【００３０】
次に本願発明の第二の実施例における概略構成を示すブロック図を図５に示す。本実施例は、輝度検出回路を設けていることを特徴とするデジタルＴＵＮＥＲ内蔵テレビである。デジタルＴＵＮＥＲ（１０１）に放送電波が入力され、デジタルＴＵＮＥＲ（１０１）からＴＳがＡＶ＿ＤＥＣＯＤＥＲ（１０２）に出力される。ＴＳを受けたＡＶ＿ＤＥＣＯＤＥＲ（１０２）はデジタル映像信号をＮＴＳＣエンコーダ（１０３）に出力し、デジタル映像信号を受けたＮＴＳＣエンコーダ（１０３）は映像を出力する。
【００３１】
ここで、レターボックスやサイドパネル表示されている番組を視聴している場合、ＡＶ＿ＤＥＣＯＤＥＲ（１０２）から画像周縁部のアドレス（レターボックス部やサイドパネル部との境界に当たる画像表示領域内のアドレス）の輝度レベルを輝度検出回路（５０１）に出力する。ここで対象とするアドレスは、例えば、表示画像領域の周辺５画素分の幅の領域である。今、対象領域を５画素幅としたが、この幅はこれに限定されるものではない。
【００３２】
この輝度検出装置（５０１）がＡＶ＿ＤＥＣＯＤＥＲ（１０２）から送られた輝度レベルの平均値を計算し、その平均値がある一定のレベルに達した時（レターボックス部やサイドパネル部の輝度レベルに近いレベル）、ＣＰＵ（１０５）にその事を知らせる制御信号を送る。その信号を受けたＣＰＵ（１０５）はＡＶ＿ＤＥＣＯＤＥＲ（１０２）にレターボックスやサイドパネル表示の位置を移動させるような命令信号を出力する。これを受けたｋタＡＶ＿ＤＥＣＯＤＥＲ（１０２）は、表示しているレターボックスやサイドパネル表示の位置を少しずらした状態のデジタル映像信号をＮＴＳＣエンコーダ（１０３）に出力し、このデジタル映像信号を受けたＮＴＳＣエンコーダ（１０３）は映像を出力し、テレビに映し出す。
【００３３】
さらに、同第二の実施例における動作を図６のフローチャートを用いて説明する。テレビ視聴中において（ステップ６０１）、現在視聴中の番組がフル画面表示であるならば（ステップ６０２のＹＥＳ分岐）、そのまま次のフレームを表示する（ステップ６０８）。
【００３４】
一方、現在視聴中の番組の表示がフル画面表示でない場合（ステップ６０２のＮＯ分岐）、輝度検出回路（５０１）で現在表示されている画像の周縁部５画素幅の各画素の輝度を検出する（ステップ６０３）。ここでは、簡単のために５画素幅としているが、これに限定されるものではなく、どこまでを画像周縁部としようと構わない。
【００３５】
このように検出された各画素の輝度は、ＣＰＵ（１０５）に出力され、ＣＰＵ（１０５）内でその平均値が計算される。この計算された平均値が黒レベルでなない場合は（ステップ６０４のＮＯ分岐）、そのまま次のフレームを表示する（ステップ６０８）。ここで、どの輝度範囲のレベルを黒レベルと定義するかは、ユーザが自由に設定でｊきるようにしても構わないし、設計者の感性によって定めて工場出荷時に設定しておいてもよい。
【００３６】
黒レベルである場合は、画像周縁部と周辺のレターボックス部あるいはサイドパネル部との境界が不明確となっているため、この場合（ステップ６０４のＹＥＳ分岐）、レターボックス表示を行っていると（ステップ６０５のレターボックス分岐）、図４のフローチャートに従って表示位置を１画素上下方向に移動させて（ステップ６０６）、次フレームを表示する（ステップ６０８）。また、サイドパネル表示を行っていると（ステップ６０５のサイドパネル分岐）、図３のフローチャートに従って表示位置を１画素左右方向に移動させて（ステップ６０７）、次のフレームを表示する（ステップ６０８）。
【００３７】
ここで、図３及び図４のフローチャートは既に説明したので、ここでは説明を省略する。
【００３８】
さらに本願発明の第三の実施例における概略構成を示すブロック図を図７に示す。本実施例は、映像の動きの変化を検出できる差分検出回路を設けていることを特徴とするデジタルＴＵＮＥＲ内蔵テレビである。デジタルＴＵＮＥＲ（１０１）に放送電波が入力され、デジタルＴＵＮＥＲ（１０１）からＴＳがＡＶ＿ＤＥＣＯＤＥＲ（１０２）に出力される。ＴＳを受けたＡＶ＿ＤＥＣＯＤＥＲ（１０２）はデジタル映像信号をＮＴＳＣエンコーダ（１０３）に出力し、このデジタル映像信号を受けたＮＴＳＣエンコーダ（１０３）は映像を出力する。
【００３９】
ここで、レターボックスやサイドパネル表示されている番組を視聴している場合、ＡＶ＿ＤＥＣＯＤＥＲ（１０２）から出力されるデジタル映像信号はＮＴＳＣエンコーダ（１０３）に入る前に差分検出回路（７０１）を通り、ＮＴＳＣエンコーダ（１０３）に出力される。この差分検出回路（７０１）で、前フレームと現フレームを比較し、映像の変化の差を検出し、ある一定以上の量を検出した場合はＣＰＵ（１０５）に制御信号を送る。この制御信号を受けたＣＰＵ（１０５）はＡＶ＿ＤＥＣＯＤＥＲ（１０２）にレターボックス表示やサイドパネル表示の位置を移動した状態でデジタル映像信号をＮＴＳＣエンコーダ（１０３）に出力し、このデジタル映像信号を受けたＮＴＳＣエンコーダ（１０３）は映像を出力しテレビに映し出す。
【００４０】
さらに、同第二の実施例における動作を図８のフローチャートを用いて説明する。テレビ視聴中において（ステップ８０１）、現在視聴中の番組がフル画面表示であるならば（ステップ８０２のＹＥＳ分岐）、そのまま次のフレームを表示する（ステップ８０８）。
【００４１】
一方、現在視聴中の番組の表示がフル画面表示でない場合（ステップ８０２のＮＯ分岐）、差分検出回路（７０１）で前フレームと現フレームの差分を計算する（ステップ８０３）。
【００４２】
このように計算された差分は、ＣＰＵ（１０５）に出力され、ＣＰＵ（１０５）内でその差分と予め定められた閾値が比較され、この差分が閾値を越えない場合は（ステップ８０４のＮＯ分岐）、そのまま次のフレームを表示する（ステップ８０８）。ここで、閾値をどう定めるかは、設計者の感性に依存し工場出荷時に設定されるが、基本的には、シーンチェンジなど、画像の内容がフレーム単位で大きく変化する場合を閾値と定める。
【００４３】
差分が閾値を超える場合は、シーンチェンジなど大きく画像内容が変化しており、この場合（ステップ８０４のＹＥＳ分岐）、レターボックス表示を行っていると（ステップ８０５のレターボックス分岐）、図４のフローチャートに従って表示位置を１画素上下方向に移動させて（ステップ８０６）、次フレームを表示する（ステップ８０８）。また、サイドパネル表示を行っていると（ステップ８０５のサイドパネル分岐）、図３のフローチャートに従って表示位置を１画素左右方向に移動させて（ステップ８０７）、次のフレームを表示する（ステップ８０８）。
【００４４】
ここで、図３及び図４のフローチャートは既に説明したので、ここでは説明を省略する。
【００４５】
上記の実施例では、ＮＴＳＣ方式の画像を表示する例を示したが、本願発明は、ＮＴＳＣ方式の画像に限定されるものではない。
【００４６】
【発明の効果】
本発明は、画像のアスペクト比を判別するアスペクト判別部と、該アスペクト判別部によって判別されたアスペクト比に応じて画面上の画像の表示位置を決定する画像表示処理部を有し、表示画像の変化に応じて画像表示位置を移動させることを特徴とする画像表示処理装置である。
【００４７】
従って、レターボックス方式やサイドバンド方式などの画像表示方法を長時間使用すると、液晶パネルや有機ＥＬなどの表示部において焼き付きが生じて、次に異なるアスペクト比の画像や表示部全体を使って画像を表示した時に画像上に輝度の濃淡が生じるという問題を軽減することができる。
【００４８】
また、本発明は、画像のアスペクト比を判別するアスペクト判別部と、該アスペクト判別部によって判別されたアスペクト比に応じて画面上の画像の表示位置を決定する画像表示処理部を有し、視聴する番組を変更したときに画像表示位置を移動させることを特徴とする画像表示処理装置である。
【００４９】
特には、テレビ放送受信部を有し、視聴するチャンネルを変更することによって視聴する番組を変更し、その際画像表示位置を移動させることができる。
【００５０】
従って、チャンネル変更時などの番組を切り替える際に、画像の表示位置をずらしていくため、上記の如く表示部の焼き付きを軽減できるだけでなく、その対策としての画像表示位置の移動も、視聴者に違和感を感じさせずに実行することが可能となった。
【００５１】
さらに、本願発明は、画像のアスペクト比を判別するアスペクト判別部と、該アスペクト判別部によって判別されたアスペクト比に応じて画面上の画像の表示位置を決定する画像表示処理部と、表示画像の輝度レベルを検出する輝度検出回路を有し、該輝度検出回路では、表示画像の周縁部分における輝度を検出し、該輝度が所定値よりも低い場合に画像表示位置を移動させることを特徴とする画像表示処理装置でもある。
【００５２】
従って、例えばレターボックスやサイドパネルなどの方式を使用した場合、画像を表示しないレターボックス部やサイドパネル部は輝度が低く暗い状態になっており、周縁部が黒い画像が表示されているときはその境界がわかりにくくなっている。そのため、周縁部が黒い画像を表示しているときに画像を表示位置を移動させるため、さらに頻繁に画像表示位置を移動させることができ、焼き付き低減の効果をさらに向上させることができる上に、視聴者にも違和感を感じさせずに実行することが可能となった。
【００５３】
さらに、本発明は、画像のアスペクト比を判別するアスペクト判別部と、該アスペクト判別部によって判別されたアスペクト比に応じて画面上の画像の表示位置を決定する画像表示処理部と、表示画像の変化を検出する差分検出回路を有し、該差分検出回路では、表示画像の前フレームと現フレームの差分を計算し、該差分が所定値よりも大きい場合に画像表示位置を移動させることを特徴とする画像表示処理装置でもある。
【００５４】
画像の変化が激しいときに、画像表示位置を移動させていくため、さらに頻繁に画像表示位置を移動させることができ、焼き付き低減の効果をさらに向上させることができる上に、視聴者にも違和感を感じさせずに実行することが可能となった。
【図面の簡単な説明】
【図１】本発明の第一の実施例のブロック図
【図２】本発明の第一の実施例のフローチャート
【図３】レターボックスの場合のフローチャート
【図４】サイドパネルの場合のフローチャート
【図５】本発明の第二の実施例のブロック図
【図６】本発明の第二の実施例のフローチャート
【図７】本発明の第三の実施例のブロック図
【図８】本発明の第三の実施例のフローチャート
【符号の説明】
１０１            デジタルＴＵＮＥＲ
１０２            ＡＶ＿ＤＥＣＯＤＥＲ
１０３            ＮＴＳＣエンコーダ
１０４            ＳＵＢ＿ＣＰＵ
１０５            ＣＰＵ
５０１            輝度検出回路
７０１            差分検出回路
【図１】
2004328520.tif 000003
【図２】
2004328520.tif 000004
【図３】
2004328520.tif 000005
【図４】
2004328520.tif 000006
【図５】
2004328520.tif 000007
【図６】
2004328520.tif 000008
【図７】
2004328520.tif 000009
【図８】
2004328520.tif 000010